(57)【要約】  立体視用の画像の表示が可能なプラズマディスプレイ装置において画像表示品質を高める。そのために、右目用フィールドと左目用フィールドとを交互に繰り返し、輝度重みに応じた数の維持パルスを発生する複数のサブフィールドで各フィールドを構成してプラズマディスプレイパネルを駆動する駆動回路と、右目用フィールドでオンとなる右目シャッタ開閉用タイミング信号および左目用フィールドでオンとなる左目シャッタ開閉用タイミング信号からなるシャッタ開閉用タイミング信号を発生するタイミング発生回路とを備えている。そして、駆動回路は、先頭サブフィールドを除くサブフィールドにおいては輝度重みに輝度倍率を乗じた数の維持パルスを走査電極および維持電極のそれぞれに印加し、先頭サブフィールドにおいては輝度重みに輝度倍率を乗じた数よりも多い数の維持パルスを走査電極および維持電極のそれぞれに印加する。
2011086917.tif 000002
【特許請求の範囲】
【請求項１】
走査電極と維持電極とからなる表示電極対を有する放電セルを複数備えたプラズマディスプレイパネルと、
右目用画像信号にもとづき前記プラズマディスプレイパネルを駆動する右目用フィールドと、左目用画像信号にもとづき前記プラズマディスプレイパネルを駆動する左目用フィールドとを交互に繰り返して前記プラズマディスプレイパネルに画像を表示するとともに、前記右目用フィールドおよび前記左目用フィールドのそれぞれを、輝度重みに応じた数の維持パルスを発生する維持期間を有する複数のサブフィールドで構成して前記プラズマディスプレイパネルを駆動する駆動回路と、
前記駆動回路を制御するタイミング信号と、前記右目用フィールドが前記プラズマディスプレイパネルに表示されるときにオンとなり前記左目用フィールドが前記プラズマディスプレイパネルに表示されるときにオフとなる右目シャッタ開閉用タイミング信号および前記左目用フィールドが前記プラズマディスプレイパネルに表示されるときにオンとなり前記右目用フィールドが前記プラズマディスプレイパネルに表示されるときにオフとなる左目シャッタ開閉用タイミング信号からなるシャッタ開閉用タイミング信号とを発生するタイミング発生回路と、を備え、
前記駆動回路は、１フィールドの先頭サブフィールドを除くサブフィールドの維持期間においては前記輝度重みに所定の輝度倍率を乗じた数の前記維持パルスを前記走査電極および前記維持電極のそれぞれに印加し、前記先頭サブフィールドの維持期間においては前記輝度重みに前記所定の輝度倍率を乗じた数よりも多い数の前記維持パルスを前記走査電極および前記維持電極のそれぞれに印加する
ことを特徴とするプラズマディスプレイ装置。
【請求項２】
前記駆動回路は、
前記右目用フィールドおよび前記左目用フィールドのそれぞれで、輝度重みの最も小さいサブフィールドを最初に発生し、次に輝度重みの最も大きいサブフィールドを発生し、それ以降にその他のサブフィールドを発生する
ことを特徴とする請求項１に記載のプラズマディスプレイ装置。
【請求項３】
走査電極と維持電極とからなる表示電極対を有する放電セルを複数備えたプラズマディスプレイパネルと、
右目用画像信号にもとづき前記プラズマディスプレイパネルを駆動する右目用フィールドと、左目用画像信号にもとづき前記プラズマディスプレイパネルを駆動する左目用フィールドとを交互に繰り返して前記プラズマディスプレイパネルに画像を表示するとともに、前記右目用フィールドおよび前記左目用フィールドのそれぞれを、輝度重みに応じた数の維持パルスを発生する維持期間を有する複数のサブフィールドで構成して前記プラズマディスプレイパネルを駆動する駆動回路と、
前記駆動回路を制御するタイミング信号と、前記右目用フィールドが前記プラズマディスプレイパネルに表示されるときにオンとなり前記左目用フィールドが前記プラズマディスプレイパネルに表示されるときにオフとなる右目シャッタ開閉用タイミング信号および前記左目用フィールドが前記プラズマディスプレイパネルに表示されるときにオンとなり前記右目用フィールドが前記プラズマディスプレイパネルに表示されるときにオフとなる左目シャッタ開閉用タイミング信号からなるシャッタ開閉用タイミング信号とを発生するタイミング発生回路と、
を有するプラズマディスプレイ装置、および、
前記タイミング発生回路で発生した前記シャッタ開閉用タイミング信号で制御され、前記右目シャッタ開閉用タイミング信号がオンのときには可視光を透過しオフのときには可視光を遮断する右目用シャッタと、前記左目シャッタ開閉用タイミング信号がオンのときには可視光を透過しオフのときには可視光を遮断する左目用シャッタとを有するシャッタ眼鏡を備え、
前記駆動回路は、１フィールドの先頭サブフィールドを除くサブフィールドの維持期間においては前記輝度重みに所定の輝度倍率を乗じた数の前記維持パルスを前記走査電極および前記維持電極のそれぞれに印加し、前記先頭サブフィールドの維持期間においては前記輝度重みに前記所定の輝度倍率を乗じた数に、前記先頭サブフィールドの維持期間における前記シャッタ眼鏡の透過率に応じた係数を乗じた数の前記維持パルスを前記走査電極および前記維持電極のそれぞれに印加する
ことを特徴とするプラズマディスプレイシステム。
【請求項４】
前記駆動回路は、
前記右目用フィールドおよび前記左目用フィールドのそれぞれで、輝度重みの最も小さいサブフィールドを最初に発生し、次に輝度重みの最も大きいサブフィールドを発生し、それ以降にその他のサブフィールドを発生する
ことを特徴とする請求項３に記載のプラズマディスプレイシステム。
【請求項５】
走査電極と維持電極とからなる表示電極対を有する放電セルを複数備えたプラズマディスプレイパネルの駆動方法であって、
右目用画像信号にもとづき前記プラズマディスプレイパネルを駆動する右目用フィールドと、左目用画像信号にもとづき前記プラズマディスプレイパネルを駆動する左目用フィールドとを交互に繰り返して前記プラズマディスプレイパネルに画像を表示するとともに、前記右目用フィールドおよび前記左目用フィールドのそれぞれを、輝度重みに応じた数の維持パルスを発生する維持期間を有する複数のサブフィールドで構成して前記プラズマディスプレイパネルを駆動し、前記右目用フィールドが前記プラズマディスプレイパネルに表示されるときにオンとなり前記左目用フィールドが前記プラズマディスプレイパネルに表示されるときにオフとなる右目シャッタ開閉用タイミング信号および前記左目用フィールドが前記プラズマディスプレイパネルに表示されるときにオンとなり前記右目用フィールドが前記プラズマディスプレイパネルに表示されるときにオフとなる左目シャッタ開閉用タイミング信号からなるシャッタ開閉用タイミング信号を発生し、
１フィールドの先頭サブフィールドを除くサブフィールドの維持期間においては前記輝度重みに所定の輝度倍率を乗じた数の前記維持パルスを前記走査電極および前記維持電極のそれぞれに印加し、前記先頭サブフィールドの維持期間においては前記輝度重みに前記所定の輝度倍率を乗じた数よりも多い数の前記維持パルスを前記走査電極および前記維持電極のそれぞれに印加することを特徴とするプラズマディスプレイパネルの駆動方法。
【請求項６】
前記右目用フィールドおよび前記左目用フィールドのそれぞれで、輝度重みの最も小さいサブフィールドを最初に発生し、次に輝度重みの最も大きいサブフィールドを発生し、それ以降にその他のサブフィールドを発生する
ことを特徴とする請求項５に記載のプラズマディスプレイパネルの駆動方法。
【発明の詳細な説明】
【技術分野】
【０００１】
本発明は、プラズマディスプレイパネルに交互に表示される右目用画像と左目用画像とからなる立体画像をシャッタ眼鏡を用いて立体視することができるプラズマディスプレイ装置、プラズマディスプレイシステムおよびプラズマディスプレイパネルの駆動方法に関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数のデータ電極が形成された背面基板とを対向配置し、その間に多数の放電セルが形成されている。そして、放電セル内でガス放電により紫外線を発生させ、この紫外線で赤色、緑色および青色の各色の蛍光体を励起発光させてカラーの画像表示を行う。【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。【０００４】
初期化期間では、放電セルに初期化放電を発生し、続く書込み動作に必要な壁電荷を形成するとともに、書込み放電を安定して発生させるためのプライミング粒子（書込み放電を発生させるための励起粒子）を発生する初期化動作を行う。書込み期間では、表示する画像に応じて放電セルで選択的に書込み放電を発生して放電セル内に壁電荷を形成する書込み動作を行う。維持期間では、サブフィールド毎に定められた数の維持パルスを走査電極と維持電極とに交互に印加して放電セルに維持放電を発生する維持動作を行う。そして、書込み動作を行った放電セルの蛍光体層を発光させることにより、その放電セルを画像信号の階調値に応じた輝度で発光させて、パネルの画像表示領域に画像を表示する。【０００５】
パネルにおける画像表示品質を高める上で重要な要因の１つにコントラストの向上がある。そして、サブフィールド法の１つとして、階調表示に関係しない発光を極力減らしコントラスト比を向上させる駆動方法が開示されている。【０００６】
この駆動方法では、１フィールドを構成する複数のサブフィールドのうち、１つのサブフィールドの初期化期間では全ての放電セルに初期化放電を発生させる初期化動作を行う。また、他のサブフィールドの初期化期間では直前の維持期間で維持放電を行った放電セルに対して選択的に初期化放電を行う初期化動作を行う。【０００７】
維持放電を発生しない黒を表示する領域の輝度（以下、「黒輝度」と略記する）は、画像の表示に関係のない発光によって変化する。この画像の表示に関係のない発光には、例えば、初期化放電によって生じる発光等がある。しかし、上述の駆動方法では、黒表示領域における発光は全ての放電セルに初期化動作を行うときの微弱発光だけとなる。これにより、黒輝度を低減してコントラストの高い画像表示が可能となる（例えば、特許文献１参照）。【０００８】
また、３次元（３  Ｄｉｍｅｎｓｉｏｎ：以下「３Ｄ」と記す）画像表示装置としてプラズマディスプレイ装置を応用することが検討されている。【０００９】
このプラズマディスプレイ装置では、立体視用の画像（３Ｄ画像）を構成する右目用画像と左目用画像とをパネルに交互に表示し、使用者は、シャッタ眼鏡と呼ばれる特殊な眼鏡を用いてその画像を観測する。【００１０】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、表示画像を立体視することができる。【００１１】
プラズマディスプレイ装置を用いて３Ｄ画像を立体視する方法の１つとして、複数のサブフィールドを、右目用画像を表示するサブフィールド群と左目用画像を表示するサブフィールド群とに分け、それぞれのサブフィールド群の最初のサブフィールドの書込み期間の開始に同期してシャッタ眼鏡のシャッタを開閉する方法が開示されている（例えば、特許文献２参照）。【００１２】
パネルの大画面化、高精細化にともない画像表示品質の更なる向上が望まれている。そして、３Ｄ画像表示装置として用いることができるプラズマディスプレイ装置においても、高い画像表示品質が望まれている。
【先行技術文献】
【特許文献】
【００１３】
【特許文献１】特開２０００−２４２２２４号公報
【特許文献２】特開２０００−１１２４２８号公報
【発明の概要】
【００１４】
本発明のプラズマディスプレイ装置は、走査電極と維持電極とからなる表示電極対を有する放電セルを複数備えたパネルと、駆動回路と、タイミング発生回路とを備えている。駆動回路は、右目用画像信号にもとづきパネルを駆動する右目用フィールドと、左目用画像信号にもとづきパネルを駆動する左目用フィールドとを交互に繰り返してパネルに画像を表示するとともに、右目用フィールドおよび左目用フィールドのそれぞれを、輝度重みに応じた数の維持パルスを発生する維持期間を有する複数のサブフィールドで構成してパネルを駆動する。タイミング発生回路は、駆動回路を制御するタイミング信号と、右目用フィールドがパネルに表示されるときにオンとなり左目用フィールドがパネルに表示されるときにオフとなる右目シャッタ開閉用タイミング信号および左目用フィールドがパネルに表示されるときにオンとなり右目用フィールドがパネルに表示されるときにオフとなる左目シャッタ開閉用タイミング信号からなるシャッタ開閉用タイミング信号とを発生する。そして、駆動回路は、１フィールドの先頭サブフィールドを除くサブフィールドの維持期間においては輝度重みに所定の輝度倍率を乗じた数の維持パルスを走査電極および維持電極のそれぞれに印加し、先頭サブフィールドの維持期間においては輝度重みに所定の輝度倍率を乗じた数よりも多い数の維持パルスを走査電極および維持電極のそれぞれに印加する。
【００１５】
これにより、３Ｄ画像表示装置として使用可能なプラズマディスプレイ装置において、先頭サブフィールドの維持期間におけるシャッタ眼鏡の透過率に応じて維持パルスの発生数を変更することが可能となる。したがって、例えば、表示画像を観賞する使用者に対してクロストークを低減するために、シャッタ眼鏡のシャッタを開くタイミングを遅らせる等して先頭サブフィールドの維持期間におけるシャッタ眼鏡の透過率が低下したとしても、シャッタ眼鏡を通して表示画像を観賞する使用者に対して表示画像における階調の直線性を保つことが可能となり、画像表示品質を高めることができる。
【００１６】
本発明のプラズマディスプレイシステムは、走査電極と維持電極とからなる表示電極対を有する放電セルを複数備えたパネルと、駆動回路と、タイミング発生回路とを有するプラズマディスプレイ装置、およびシャッタ眼鏡を備えている。駆動回路は、右目用画像信号にもとづきパネルを駆動する右目用フィールドと、左目用画像信号にもとづきパネルを駆動する左目用フィールドとを交互に繰り返してパネルに画像を表示するとともに、右目用フィールドおよび左目用フィールドのそれぞれを、輝度重みに応じた数の維持パルスを発生する維持期間を有する複数のサブフィールドで構成してパネルを駆動する。タイミング発生回路は、駆動回路を制御するタイミング信号と、右目用フィールドがパネルに表示されるときにオンとなり左目用フィールドがパネルに表示されるときにオフとなる右目シャッタ開閉用タイミング信号および左目用フィールドがパネルに表示されるときにオンとなり右目用フィールドがパネルに表示されるときにオフとなる左目シャッタ開閉用タイミング信号からなるシャッタ開閉用タイミング信号とを発生する。シャッタ眼鏡は、タイミング発生回路で発生したシャッタ開閉用タイミング信号で制御され、右目シャッタ開閉用タイミング信号がオンのときには可視光を透過しオフのときには可視光を遮断する右目用シャッタと、左目シャッタ開閉用タイミング信号がオンのときには可視光を透過しオフのときには可視光を遮断する左目用シャッタとを有する。そして、駆動回路は、１フィールドの先頭サブフィールドを除くサブフィールドの維持期間においては輝度重みに所定の輝度倍率を乗じた数の維持パルスを走査電極および維持電極のそれぞれに印加し、先頭サブフィールドの維持期間においては輝度重みに所定の輝度倍率を乗じた数に、先頭サブフィールドの維持期間におけるシャッタ眼鏡の透過率に応じた係数を乗じた数の維持パルスを走査電極および維持電極のそれぞれに印加する。
【００１７】
これにより、３Ｄ画像表示装置として使用可能なプラズマディスプレイ装置を備えたプラズマディスプレイシステムにおいて、先頭サブフィールドの維持期間におけるシャッタ眼鏡の透過率に応じて維持パルスの発生数を変更することが可能となる。したがって、例えば、表示画像を観賞する使用者に対してクロストークを低減するために、シャッタ眼鏡のシャッタを開くタイミングを遅らせる等して先頭サブフィールドの維持期間におけるシャッタ眼鏡の透過率が低下したとしても、シャッタ眼鏡を通して表示画像を観賞する使用者に対して表示画像における階調の直線性を保つことが可能となり、画像表示品質を高めることができる。
【００１８】
本発明のパネルの駆動方法は、走査電極と維持電極とからなる表示電極対を有する放電セルを複数備えたパネルの駆動方法である。そして、右目用画像信号にもとづきパネルを駆動する右目用フィールドと、左目用画像信号にもとづきパネルを駆動する左目用フィールドとを交互に繰り返してパネルに画像を表示するとともに、右目用フィールドおよび左目用フィールドのそれぞれを、輝度重みに応じた数の維持パルスを発生する維持期間を有する複数のサブフィールドで構成してパネルを駆動する。また、右目用フィールドがパネルに表示されるときにオンとなり左目用フィールドがパネルに表示されるときにオフとなる右目シャッタ開閉用タイミング信号および左目用フィールドがパネルに表示されるときにオンとなり右目用フィールドがパネルに表示されるときにオフとなる左目シャッタ開閉用タイミング信号からなるシャッタ開閉用タイミング信号を発生する。そして、１フィールドの先頭サブフィールドを除くサブフィールドの維持期間においては輝度重みに所定の輝度倍率を乗じた数の維持パルスを走査電極および維持電極のそれぞれに印加し、先頭サブフィールドの維持期間においては輝度重みに所定の輝度倍率を乗じた数よりも多い数の維持パルスを走査電極および前記維持電極のそれぞれに印加する。
【００１９】
これにより、３Ｄ画像表示装置として使用可能なプラズマディスプレイ装置において、立体視用の画像をパネルに表示する際に、先頭サブフィールドの維持期間におけるシャッタ眼鏡の透過率に応じて維持パルスの発生数を変更することが可能となる。したがって、例えば、表示画像を観賞する使用者に対してクロストークを低減するために、シャッタ眼鏡のシャッタを開くタイミングを遅らせる等して先頭サブフィールドの維持期間におけるシャッタ眼鏡の透過率が低下したとしても、シャッタ眼鏡を通して表示画像を観賞する使用者に対して表示画像における階調の直線性を保つことが可能となり、画像表示品質を高めることができる。
【図面の簡単な説明】
【００２０】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置の回路ブロック図およびプラズマディスプレイシステムの概要を示す図である。
【図４】図４は、本発明の一実施の形態におけるプラズマディスプレイ装置に用いるパネルの各電極に印加する駆動電圧波形図である。
【図５】図５は、本発明の一実施の形態におけるプラズマディスプレイ装置のサブフィールド構成およびシャッタ眼鏡の開閉動作を示す模式図である。
【図６】図６は、本発明の一実施の形態におけるプラズマディスプレイ装置のサブフィールド構成と放電セルにおける発光輝度と右目用シャッタおよび左目用シャッタの開閉状態とを示す模式図である。
【発明を実施するための形態】
【００２１】
以下、本発明の実施の形態におけるプラズマディスプレイ装置について、図面を用いて説明する。
【００２２】
（実施の形態）
図１は、本発明の一実施の形態におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。保護層２６は、酸化マグネシウム（ＭｇＯ）を主成分とする材料で形成されている。
【００２３】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２４】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えば、ネオンとキセノンの混合ガスを放電ガスとして封入する。なお、本実施の形態では、発光効率を向上するためにキセノン分圧を約１０％にした放電ガスを用いている。
【００２５】
放電空間は隔壁３４によって複数の区画に仕切られており、表示電極対２４とデータ電極３２とが交差する部分に放電セルが形成されている。そして、これらの放電セルを放電、発光（点灯）することによりパネル１０にカラーの画像が表示される。
【００２６】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００２７】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２８】
図２は、本発明の一実施の形態におけるプラズマディスプレイ装置に用いるパネル１０の電極配列図である。パネル１０には、行方向（ライン方向）に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００２９】
図３は、本発明の一実施の形態におけるプラズマディスプレイ装置４０の回路ブロック図およびプラズマディスプレイシステムの概要を示す図である。本実施の形態に示すプラズマディスプレイシステムは、プラズマディスプレイ装置４０とシャッタ眼鏡５０とを構成要素に含む。
【００３０】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。またプラズマディスプレイ装置４０は、タイミング信号出力部４６を備えている。タイミング信号出力部４６は、使用者が使用するシャッタ眼鏡５０のシャッタの開閉を制御するシャッタ開閉用タイミング信号をシャッタ眼鏡５０に出力する。
【００３１】
画像信号処理回路４１は、入力された画像信号にもとづき、各放電セルに階調値を割り当てる。そして、その階調値を、サブフィールド毎の発光・非発光を示す画像データに変換する。例えば、入力された画像信号ｓｉｇがＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号ｓｉｇが輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。また、入力される画像信号が、右目用画像信号と左目用画像信号とを有する３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００３２】
データ電極駆動回路４２は、右目用画像データおよび左目用画像データを、各データ電極Ｄ１〜データ電極Ｄｍに対応する信号（書込みパルス）に変換し、データ電極Ｄ１〜データ電極Ｄｍのそれぞれに印加する。
【００３３】
タイミング発生回路４５は、水平同期信号および垂直同期信号にもとづき各回路ブロックの動作を制御する各種のタイミング信号を発生する。そして、発生したタイミング信号をそれぞれの回路ブロック（画像信号処理回路４１、データ電極駆動回路４２、走査電極駆動回路４３および維持電極駆動回路４４等）へ供給する。また、タイミング発生回路４５は、シャッタ眼鏡５０のシャッタの開閉を制御するシャッタ開閉用タイミング信号をタイミング信号出力部４６に出力する。なお、タイミング発生回路４５は、シャッタ眼鏡５０のシャッタを開く（可視光を透過する状態になる）ときにはシャッタ開閉用タイミング信号をオン（「１」）にし、シャッタ眼鏡５０のシャッタを閉じる（可視光を遮断する状態になる）ときにはシャッタ開閉用タイミング信号をオフ（「０」）にするものとする。また、シャッタ開閉用タイミング信号は、右目用画像信号を表示する右目用フィールドがパネル１０に表示されるときにオンとなり、左目用画像信号を表示する左目用フィールドがパネル１０に表示されるときにオフとなるタイミング信号（右目シャッタ開閉用タイミング信号）と、左目用画像信号を表示する左目用フィールドがパネル１０に表示されるときにオンとなり、右目用画像信号を表示する右目用フィールドがパネル１０に表示されるときにオフとなるタイミング信号（左目シャッタ開閉用タイミング信号）とからなるものとする。
【００３４】
タイミング信号出力部４６は、ＬＥＤ（Ｌｉｇｈｔ  Ｅｍｉｔｔｉｎｇ  Ｄｉｏｄｅ）等の発光素子を有しており、シャッタ開閉用タイミング信号を、例えば赤外線の信号に変換してシャッタ眼鏡５０に供給する。
【００３５】
走査電極駆動回路４３は、初期化波形発生回路、維持パルス発生回路、走査パルス発生回路（図示せず）を有する。初期化波形発生回路は、初期化期間に走査電極ＳＣ１〜走査電極ＳＣｎに印加する初期化波形を発生する。維持パルス発生回路は、維持期間に走査電極ＳＣ１〜走査電極ＳＣｎに印加する維持パルスを発生する。走査パルス発生回路は、複数の走査電極駆動ＩＣ（走査ＩＣ）を備え、書込み期間に走査電極ＳＣ１〜走査電極ＳＣｎに印加する走査パルスを発生する。そして、走査電極駆動回路４３は、タイミング発生回路４５から供給されるタイミング信号にもとづいて走査電極ＳＣ１〜走査電極ＳＣｎをそれぞれ駆動する。
【００３６】
維持電極駆動回路４４は、維持パルス発生回路および電圧Ｖｅ１、電圧Ｖｅ２を発生する回路を備え（図示せず）、タイミング発生回路４５から供給されるタイミング信号にもとづいて維持電極ＳＵ１〜維持電極ＳＵｎを駆動する。
【００３７】
シャッタ眼鏡５０は、右目用シャッタ５２Ｒおよび左目用シャッタ５２Ｌを有する。右目用シャッタ５２Ｒおよび左目用シャッタ５２Ｌは、それぞれ独立にシャッタの開閉が可能である。そして、シャッタ眼鏡５０は、タイミング信号出力部４６から供給されるシャッタ開閉用タイミング信号にもとづいて右目用シャッタ５２Ｒおよび左目用シャッタ５２Ｌを開閉する。右目用シャッタ５２Ｒは、右目シャッタ開閉用タイミング信号がオンのときには開き（可視光を透過し）、オフのときには閉じる（可視光を遮断する）。左目用シャッタ５２Ｌは、左目シャッタ開閉用タイミング信号がオンのときには開き（可視光を透過し）、オフのときには閉じる（可視光を遮断する）。右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００３８】
次に、パネル１０を駆動するための駆動電圧波形とその動作の概要について説明する。なお、本実施の形態におけるプラズマディスプレイ装置４０は、サブフィールド法によって階調表示を行う。サブフィールド法では、１フィールドを時間軸上で複数のサブフィールドに分割し、各サブフィールドに輝度重みをそれぞれ設定する。そして、サブフィールド毎に各放電セルの発光・非発光を制御することによってパネル１０に画像を表示する。
【００３９】
なお、本実施の形態において、プラズマディスプレイ装置４０に入力される画像信号は、３Ｄ画像信号である。すなわち、右目用画像信号と左目用画像信号とをフィールド毎に交互に繰り返す立体視用の画像信号である。そして、右目用画像信号を表示する右目用フィールドと、左目用画像信号を表示する左目用フィールドとを交互に繰り返し、パネル１０に右目用画像および左目用画像からなる立体視用の画像（３Ｄ画像）を表示する。
【００４０】
そのため、単位時間（例えば、１秒間）に表示される３Ｄ画像の枚数は、フィールド周波数（１秒間に発生するフィールドの数）の半分となる。例えば、フィールド周波数が６０Ｈｚであれば、１秒間に表示される右目用画像および左目用画像はそれぞれ３０枚ずつとなるため、１秒間に３０枚の３Ｄ画像が表示されることとなる。そこで、本実施の形態では、フィールド周波数を通常の２倍（例えば、１２０Ｈｚ）に設定し、３Ｄ画像を表示する際に発生しやすい画像のちらつき（フリッカ）を低減している。
【００４１】
そして、使用者は、パネル１０に表示される３Ｄ画像を、右目用フィールドおよび左目用フィールドに同期して右目用シャッタ５２Ｒおよび左目用シャッタ５２Ｌをそれぞれ開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【００４２】
なお、右目用フィールドと左目用フィールドとは、表示する画像信号が異なるだけであり、１つのフィールドを構成するサブフィールドの数、各サブフィールドの輝度重み、サブフィールドの配列等のフィールドの構成は同じである。そこで、以下、「右目用」および「左目用」の区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【００４３】
まず、１つのフィールドの構成と各電極に印加する駆動電圧波形について説明する。各フィールドは複数のサブフィールドを有し、それぞれのサブフィールドは初期化期間、書込み期間および維持期間を備える。
【００４４】
初期化期間では初期化放電を発生し、続く書込み放電に必要な壁電荷を各電極上に形成する。このときの初期化動作には、それまでの放電の有無にかかわらず全ての放電セルに初期化放電を発生する全セル初期化動作と、直前のサブフィールドの書込み期間において書込み放電を発生した放電セルだけに選択的に初期化放電を発生する選択初期化動作とがある。以下、全セル初期化動作を行う初期化期間を「全セル初期化期間」と呼称し、全セル初期化期間を有するサブフィールドを「全セル初期化サブフィールド」と呼称する。また、選択初期化動作を行う初期化期間を「選択初期化期間」と呼称し、選択初期化期間を有するサブフィールドを「選択初期化サブフィールド」と呼称する。
【００４５】
書込み期間では、データ電極３２に選択的に書込みパルスを印加し、発光させるべき放電セルで書込み放電を発生して壁電荷を形成する。そして維持期間では、サブフィールド毎に定められた輝度重みに応じた数の維持パルスを表示電極対２４に交互に印加して、書込み放電を発生した放電セルで維持放電を発生させて放電セルを発光させる。
【００４６】
なお、本実施の形態においては、１フィールドの先頭サブフィールドは輝度重みの最も小さいサブフィールドとし、それに続くサブフィールドは輝度重みの最も大きいサブフィールドとし、それ以降のサブフィールドは輝度重みを順次小さくしている。その具体的な一例として、本実施の形態では、右目用フィールドおよび左目用フィールドを、それぞれ５つのサブフィールド（サブフィールドＳＦ１、サブフィールドＳＦ２、サブフィールドＳＦ３、サブフィールドＳＦ４、サブフィールドＳＦ５）で構成し、各サブフィールドはそれぞれ（１、１６、８、４、２）の輝度重みを有する構成を例に挙げて、以下の説明を行う。本実施の形態では、各フィールドをこのように構成することにより、右目用画像から左目用画像への発光の漏れ込み、および左目用画像から右目用画像への発光の漏れ込み（以下、「クロストーク」と呼称する）を低減するとともに、書込み動作を安定化している。この詳細については後述する。
【００４７】
そして、本実施の形態では、右目用フィールドおよび左目用フィールドのそれぞれにおいて、フィールドの先頭サブフィールド（最初に発生するサブフィールド）を全セル初期化サブフィールドとする例を説明する。すなわち、サブフィールドＳＦ１の初期化期間では全セル初期化動作を行い、他のサブフィールド（サブフィールドＳＦ２〜サブフィールドＳＦ５）の初期化期間では選択初期化動作を行うものとする。これにより、少なくとも１フィールドに１回は全ての放電セルに初期化放電を発生させることができるので、書込み動作を安定化することができる。また、画像の表示に関係のない発光はサブフィールドＳＦ１における全セル初期化動作の放電にともなう発光のみとなる。したがって、維持放電を発生しない黒表示領域の輝度である黒輝度を低減し、パネル１０にコントラストの高い画像を表示することが可能となる。
【００４８】
また、各サブフィールドの維持期間においては、サブフィールド毎に定められた輝度重みに応じた数の維持パルスを表示電極対２４に交互に印加して、書込み放電を発生した放電セルで維持放電を発生させて放電セルを発光させる。
【００４９】
なお、本実施の形態では、上述したように、右目用フィールドおよび左目用フィールドのそれぞれにおいて、最初に発生するサブフィールドＳＦ１を輝度重みの最も小さいサブフィールド（例えば、輝度重み「１」）とし、２番目に発生するサブフィールドＳＦ２を輝度重みの最も大きいサブフィールド（例えば、輝度重み「１６」）とし、それ以降は輝度重みが順次小さくなるように各サブフィールド（サブフィールドＳＦ３〜サブフィールドＳＦ５）に輝度重みを設定している。
【００５０】
輝度重みとは、各サブフィールドで表示する輝度の大きさの比を表すものであり、各サブフィールドでは輝度重みに応じた数の維持パルスを維持期間に発生する。例えば、輝度重み「８」のサブフィールドでは、輝度重み「２」のサブフィールドの４倍の数の維持パルスを維持期間に発生し、輝度重み「４」のサブフィールドの２倍の数の維持パルスを維持期間に発生する。したがって、輝度重み「８」のサブフィールドは、輝度重み「２」のサブフィールドの約４倍の輝度で発光し、輝度重み「４」のサブフィールドの約２倍の輝度で発光する。したがって、画像信号に応じた組み合わせで各サブフィールドを選択的に発光させることによって様々な階調を表示し、画像を表示することができる。
【００５１】
また、各サブフィールドの維持期間においては、それぞれのサブフィールドの輝度重みに所定の比例定数を乗じた数にもとづく数の維持パルスを表示電極対２４のそれぞれに印加する。この比例定数が輝度倍率である。
【００５２】
なお、本実施の形態では、輝度倍率が１倍のとき、輝度重み「２」のサブフィールドの維持期間では維持パルスを４つ発生し、走査電極２２と維持電極２３とにそれぞれ２回ずつ維持パルスを印加するものとする。すなわち、維持期間においては、それぞれのサブフィールドの輝度重みに所定の輝度倍率を乗じた数の維持パルスが、走査電極２２および維持電極２３のそれぞれに印加される。したがって、輝度倍率が２倍のとき、輝度重み「２」のサブフィールドの維持期間で発生する維持パルスの数は８となり、輝度倍率が３倍のとき、輝度重み「２」のサブフィールドの維持期間で発生する維持パルスの数は１２となる。
【００５３】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００５４】
図４は、本発明の一実施の形態におけるプラズマディスプレイ装置４０に用いるパネル１０の各電極に印加する駆動電圧波形図である。図４には、書込み期間において最初に書込み動作を行う走査電極ＳＣ１から走査電極ＳＣ３までの各走査電極２２、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００５５】
また、以下では、２つのサブフィールドの駆動電圧波形、すなわち全セル初期化サブフィールドであるサブフィールドＳＦ１と、選択初期化サブフィールドであるサブフィールドＳＦ２とについて説明する。なお、他のサブフィールドにおける駆動電圧波形は、維持期間における維持パルスの発生数が異なる以外はサブフィールドＳＦ２の駆動電圧波形とほぼ同様である。また、以下における走査電極ＳＣｉ、維持電極ＳＵｉ、データ電極Ｄｋは、各電極の中から画像データ（サブフィールド毎の点灯・非点灯を示すデータ）にもとづき選択された電極を表す。
【００５６】
まず、全セル初期化サブフィールドであり輝度重みの最も小さいサブフィールドであるサブフィールドＳＦ１について説明する。
【００５７】
サブフィールドＳＦ１の初期化期間（全セル初期化期間）の前半部では、データ電極Ｄ１〜データ電極Ｄｍ、維持電極ＳＵ１〜維持電極ＳＵｎに、それぞれ電圧０（Ｖ）を印加する。そして、走査電極ＳＣ１〜走査電極ＳＣｎには、電圧Ｖｉ１を印加する。電圧Ｖｉ１は、維持電極ＳＵ１〜維持電極ＳＵｎに対して放電開始電圧未満の電圧に設定する。さらに、走査電極ＳＣ１〜走査電極ＳＣｎに、電圧Ｖｉ１から電圧Ｖｉ２に向かって緩やかに（例えば、約１．３Ｖ／μｓｅｃの勾配で）上昇する傾斜波形電圧（以下、「上りランプ電圧Ｌ１」と呼称する）を印加する。電圧Ｖｉ２は、維持電極ＳＵ１〜維持電極ＳＵｎに対して放電開始電圧を超える電圧に設定する。
【００５８】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００５９】
この初期化期間（全セル初期化期間）の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに（例えば、約−２．５Ｖ／μｓｅｃの勾配で）下降する傾斜波形電圧（以下、「下りランプ電圧Ｌ２」と呼称する）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００６０】
走査電極ＳＣ１〜走査電極ＳＣｎに下りランプ電圧Ｌ２を印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルで強制的に初期化放電を発生する全セル初期化動作が終了する。
【００６１】
サブフィールドＳＦ１の書込み期間では、走査電極ＳＣ１〜走査電極ＳＣｎに対しては、順次、電圧Ｖａの走査パルスを印加する。データ電極Ｄ１〜データ電極Ｄｍに対しては、発光するべき放電セルに対応するデータ電極Ｄｋ（ｋ＝１〜ｍ）に正の電圧Ｖｄの書込みパルスを印加する。こうして、各放電セルに選択的に書込み放電を発生する。
【００６２】
具体的には、まず維持電極ＳＵ１〜維持電極ＳＵｎに電圧Ｖｅ２を印加し、走査電極ＳＣ１〜走査電極ＳＣｎに電圧Ｖｃ（電圧Ｖｃ＝電圧Ｖａ＋電圧Ｖｓｃ）を印加する。
【００６３】
次に、１ライン目の走査電極ＳＣ１に負の電圧Ｖａの走査パルスを印加する。そして、画像信号にもとづき、データ電極Ｄ１〜データ電極Ｄｍのうち１ライン目に発光するべき放電セルのデータ電極Ｄｋに正の電圧Ｖｄの書込みパルスを印加する。これにより、書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００６４】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００６５】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００６６】
このようにして、１ライン目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００６７】
次に、２ライン目の走査電極ＳＣ２に走査パルスを印加するとともに、画像信号にもとづき２ライン目に発光するべき放電セルのデータ電極Ｄｋに書込みパルスを印加する。これにより、２ライン目において発光するべき放電セルで書込み放電を発生する。
【００６８】
以下、走査電極ＳＣ３〜走査電極ＳＣｎに走査パルスを順次印加して上述と同様の書込み動作をｎライン目の放電セルに至るまで順次行い、書込み期間が終了する。
【００６９】
続く維持期間では、維持パルスを表示電極対２４に交互に印加して、書込み放電を発生した放電セルに維持放電を発生し、その放電セルを発光させる。
【００７０】
この維持期間では、まず走査電極ＳＣ１〜走査電極ＳＣｎに正の電圧Ｖｓの維持パルスを印加するとともに維持電極ＳＵ１〜維持電極ＳＵｎにベース電位となる接地電位、すなわち電圧０（Ｖ）を印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００７１】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【００７２】
続いて、走査電極ＳＣ１〜走査電極ＳＣｎにはベース電位となる電圧０（Ｖ）を、維持電極ＳＵ１〜維持電極ＳＵｎには電圧Ｖｓの維持パルスをそれぞれ印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００７３】
以降同様に、走査電極ＳＣ１〜走査電極ＳＣｎと維持電極ＳＵ１〜維持電極ＳＵｎとに、維持パルスを交互に印加する。こうすることで、書込み期間において書込み放電を発生した放電セルで維持放電が継続して発生する。
【００７４】
なお、維持期間で発生する維持パルスの数は、それぞれのサブフィールドの輝度重みに所定の輝度倍率を乗じた数にもとづく数であり、輝度重みに輝度倍率を乗じた数の維持パルスを、走査電極２２および維持電極２３のそれぞれに印加する。ただし、本実施の形態において、サブフィールドＳＦ１の維持期間では、輝度重みに輝度倍率を乗じた数よりも多い数の維持パルスを、走査電極２２および維持電極２３のそれぞれに印加する。この理由については後述する。
【００７５】
そして、維持期間における維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎに、電圧０（Ｖ）から電圧Ｖｅｒｓに向かって緩やかに（例えば、約１０Ｖ／μｓｅｃの勾配で）上昇する傾斜波形電圧（「消去ランプ電圧Ｌ３」と呼称する）を印加する。電圧Ｖｅｒｓを、放電開始電圧を超える電圧に設定することにより、維持放電を発生した放電セルの維持電極ＳＵｉと走査電極ＳＣｉとの間で、微弱な放電が発生する。この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、データ電極Ｄｋ上の正の壁電荷を残したまま、走査電極ＳＣｉおよび維持電極ＳＵｉ上の、壁電圧の一部または全部が消去される。
【００７６】
上昇する電圧が電圧Ｖｅｒｓに到達したら、走査電極ＳＣ１〜走査電極ＳＣｎに印加する電圧を電圧０（Ｖ）まで下降する。こうして、維持期間における維持動作が終了する。
【００７７】
次に、選択初期化サブフィールドであり輝度重みの最も大きいサブフィールドであるサブフィールドＳＦ２について説明する。
【００７８】
サブフィールドＳＦ２の初期化期間（選択初期化期間）では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から放電開始電圧を超える負の電圧Ｖｉ４に向かって緩やかに（例えば、下りランプ電圧Ｌ２と同じ勾配で）下降する傾斜波形電圧（下りランプ電圧Ｌ４）を印加する。
【００７９】
これにより、直前のサブフィールド（図４では、サブフィールドＳＦ１）の維持期間で維持放電を発生した放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００８０】
一方、直前のサブフィールドの維持期間で維持放電を発生しなかった放電セルでは、初期化放電は発生せず、直前のサブフィールドの初期化期間終了時における壁電荷が保たれる。このように、サブフィールドＳＦ２の初期化期間（選択初期化期間）における初期化動作では、直前のサブフィールドの書込み期間で書込み動作を行った放電セル、すなわち直前のサブフィールドの維持期間で維持放電を発生した放電セルに対して初期化放電を発生する選択初期化動作を行う。
【００８１】
続く書込み期間の動作はサブフィールドＳＦ１の書込み期間の動作と同様である。続く維持期間の動作も、維持パルスの数を除いてサブフィールドＳＦ１の維持期間の動作と同様である。
【００８２】
続くサブフィールドＳＦ３以降のサブフィールドの各動作は、維持期間の維持パルスの数を除いてサブフィールドＳＦ２の動作と同様である。
【００８３】
以上が、本実施の形態においてパネル１０の各電極に印加する駆動電圧波形の概要である。
【００８４】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｅｒｓ＝１９０（Ｖ）、電圧Ｖｅ１＝１２５（Ｖ）、電圧Ｖｅ２＝１３０（Ｖ）、電圧Ｖｄ＝６０（Ｖ）である。ただし、これらの電圧値は単に一実施例を挙げたものに過ぎない。各電圧値は、パネル１０の特性やプラズマディスプレイ装置４０の仕様等に合わせて、適宜最適な値に設定することが望ましい。例えば、電圧Ｖｅ１と電圧Ｖｅ２とは互いに等しい電圧であってもよく、電圧Ｖｃは正の電圧であってもよい。
【００８５】
次に、本実施の形態のプラズマディスプレイ装置４０におけるサブフィールドの構成について再度説明する。図５は、本発明の一実施の形態におけるプラズマディスプレイ装置４０のサブフィールド構成およびシャッタ眼鏡５０の開閉動作を示す模式図である。図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用シャッタ５２Ｒおよび左目用シャッタ５２Ｌの開閉動作とを示す。また、図５は３つのフィールド（フィールドＦ１〜フィールドＦ３）を示す。
【００８６】
本実施の形態においては、パネル１０に３Ｄ画像を表示するために、右目用フィールドと左目用フィールドとを交互に発生する。例えば、図５に示す３つのフィールドのうち、フィールドＦ１、フィールドＦ３は右目用フィールドであり、右目用画像信号をパネル１０に表示する。また、フィールドＦ２は左目用フィールドであり、左目用画像信号をパネル１０に表示する。
【００８７】
また、シャッタ眼鏡５０を通してパネル１０に表示される３Ｄ画像を観測する使用者には、２フィールドで表示される画像（右目用画像および左目用画像）が１枚の３Ｄ画像として認識される。そのため、使用者には、１秒間にパネル１０に表示される画像の数が、１秒間に表示されるフィールドの数の半分の数として観測される。例えば、パネルに表示される３Ｄ画像のフィールド周波数（１秒間に発生するフィールドの数）が６０Ｈｚのとき、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数（１秒間に発生するフィールドの数）を通常の２倍（例えば、１２０Ｈｚ）に設定している。
【００８８】
シャッタ眼鏡５０の右目用シャッタ５２Ｒおよび左目用シャッタ５２Ｌは、タイミング信号出力部４６から出力されるシャッタ開閉用タイミング信号のオン・オフにもとづき開閉動作が制御される。そして、タイミング発生回路４５は、右目用フィールドの全セル初期化期間および左目用フィールドの全セル初期化期間はともにオフとなるように（右目シャッタ開閉用タイミング信号および左目シャッタ開閉用タイミング信号がともにオフとなるように）シャッタ開閉用タイミング信号を発生するものとする。
【００８９】
すなわち、タイミング発生回路４５は、右目用フィールドの全セル初期化期間および左目用フィールドの全セル初期化期間は、シャッタ眼鏡５０の右目用シャッタ５２Ｒおよび左目用シャッタ５２Ｌがともに閉じる（可視光を遮断する）ように、シャッタ開閉用タイミング信号を発生する。すなわち、右目用フィールド（例えば、フィールドＦ１およびフィールドＦ３）では、先頭サブフィールドであるサブフィールドＳＦ１の維持期間の開始前に右目用シャッタ５２Ｒが開き、最終サブフィールドであるサブフィールドＳＦ５の維持期間の維持パルス発生終了後に右目用シャッタ５２Ｒが閉じるようにシャッタ開閉用タイミング信号（右目シャッタ開閉用タイミング信号）を発生する。左目用フィールド（例えば、フィールドＦ２）では、サブフィールドＳＦ１の維持期間の開始前に左目用シャッタ５２Ｌが開き、サブフィールドＳＦ５の維持期間の維持パルス発生終了後に左目用シャッタ５２Ｌが閉じるようにシャッタ開閉用タイミング信号（左目シャッタ開閉用タイミング信号）を発生する。
【００９０】
したがって、右目用シャッタ５２Ｒが開いている期間は左目用シャッタ５２Ｌは閉じ、左目用シャッタ５２Ｌが開いている期間は右目用シャッタ５２Ｒは閉じるように、かつ、少なくともサブフィールドＳＦ１の初期化期間は右目用シャッタ５２Ｒおよび左目用シャッタ５２Ｌはともに閉るように、シャッタ開閉用タイミング信号（右目シャッタ開閉用タイミング信号および左目シャッタ開閉用タイミング信号）を発生する。以下、各フィールドで同様の動作を繰り返す。
【００９１】
これにより、本実施の形態において、シャッタ眼鏡５０は、右目用フィールドおよび左目用フィールドのいずれのフィールドにおいても、全セル初期化サブフィールド（サブフィールドＳＦ１）の初期化期間（全セル初期化期間）の間、右目用シャッタ５２Ｒおよび左目用シャッタ５２Ｌはともに閉じた状態となる。すなわち、全セル初期化動作によって発生する発光が、右目用シャッタ５２Ｒおよび左目用シャッタ５２Ｌによって遮られ、使用者の目に入らない状態となる。これにより、シャッタ眼鏡５０を通して３Ｄ画像を観測する使用者には、全セル初期化動作による発光が見えなくなり、その発光分の輝度が黒輝度において低減することとなる。こうして、本実施の形態では、黒輝度を低減したコントラストの高い画像を使用者が観測することが可能となる。
【００９２】
なお、本実施の形態において、上述した「シャッタを閉じた」状態とは、右目用シャッタ５２Ｒおよび左目用シャッタ５２Ｌが完全に閉じきった状態であることに限定されるものではない。また、上述した「シャッタを開いた」状態とは、右目用シャッタ５２Ｒおよび左目用シャッタ５２Ｌが完全に開ききった状態であることに限定されるものではない。次に、各サブフィールドで生じる残光とシャッタ眼鏡５０におけるシャッタの開閉動作の詳細について説明する。
【００９３】
図６は、本発明の一実施の形態におけるプラズマディスプレイ装置４０のサブフィールド構成と放電セルにおける発光輝度と右目用シャッタ５２Ｒおよび左目用シャッタ５２Ｌの開閉状態とを示す模式図である。図６には、走査電極ＳＣ１に印加する駆動電圧波形と、発光輝度（相対値）を示す波形と、シャッタ眼鏡５０の右目用シャッタ５２Ｒおよび左目用シャッタ５２Ｌの開閉状態とを示す。また、図６には２つのフィールド（右目用フィールドＦ１、左目用フィールドＦ２）を示す。
【００９４】
なお、図６において、発光輝度を示す図面では、発光輝度を相対的に表しており、縦軸は、上に行くほど値が大きくなり発光輝度が高くなることを表している。また、シャッタの開閉状態を示す図面では、右目用シャッタ５２Ｒおよび左目用シャッタ５２Ｌの開閉状態を透過率を用いて表しており、縦軸は、シャッタが完全に開いた状態の透過率（透過率が最大のとき）を１００％とし、シャッタが完全に閉じた状態の透過率（透過率が最小のとき）を０％として、シャッタの透過率を相対的に表している。なお、図６における各波形図において、横軸は時間を表す。
【００９５】
上述したように、本実施の形態では、１フィールドの先頭サブフィールドを輝度重みの最も小さいサブフィールドとし、それに続くサブフィールドを輝度重みの最も大きいサブフィールドとし、それ以降のサブフィールドでは輝度重みを順次小さくしている。例えば、図６に示す例では、右目用フィールドおよび左目用フィールドを、それぞれ５つのサブフィールド（サブフィールドＳＦ１、サブフィールドＳＦ２、サブフィールドＳＦ３、サブフィールドＳＦ４、サブフィールドＳＦ５）で構成し、各サブフィールドはそれぞれ（１、１６、８、４、２）の輝度重みを有する。本実施の形態において、各フィールドをこのようなサブフィールド構成としているのは、次のような理由による。
【００９６】
パネル１０で用いられている蛍光体層３５は、その蛍光体を構成する材料に依存した残光特性を有する。この残光とは、放電終了後も蛍光体が発光を持続する現象のことであり、蛍光体が発光したときの輝度が高いほど、残光も強くなる。また、残光は、蛍光体の特性に応じた時定数を有しており、その時定数に応じて時間の経過とともに徐々に発光輝度が減衰する。例えば、維持放電を終了した後も数ｍｓｅｃの間は残光が持続するという特性を有する蛍光体材料も存在する。また、蛍光体が発光したときの輝度が高いほど減衰に要する時間も長くなる。
【００９７】
輝度重みが大きいサブフィールドで生じる発光は輝度重みが小さいサブフィールドで生じる発光よりも発光輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【００９８】
このため、１フィールドの最終サブフィールドを輝度重みの大きいサブフィールドにすると、最終サブフィールドを輝度重みの小さいサブフィールドにするときと比較して、続くフィールドに漏れ込む残光が増加する。そして、右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光は、画像信号とは関係のない不要な発光として使用者に観測されることとなる。この現象がクロストークである。
【００９９】
例えば、右目用画像を表示するフィールドが終了した後、右目用画像の残光による残像が消える前に左目用画像がパネル１０に表示されると、左目用画像に右目用画像が混入するクロストークが生じる。そして、残光の輝度が大きくなってクロストークが大きくなるほど３Ｄ画像の立体視は阻害され、プラズマディスプレイ装置４０における画像表示品質は劣化する。なお、この画像表示品質とは、シャッタ眼鏡５０を通して３Ｄ画像を観測する使用者にとっての画像表示品質のことである。
【０１００】
クロストークを低減するためには、輝度重みの大きいサブフィールドを１フィールドの早い時期に発生して強い残光をできるだけ自フィールド内で収束させることが望ましい。また、サブフィールドの発生順に輝度重みを順次小さくして１フィールドの最終サブフィールドを輝度重みの小さいサブフィールドにし、サブフィールドに応じて残光も順次小さくして次フィールドへの残光の漏れ込みをできるだけ低減することが望ましい。
【０１０１】
一方、本実施の形態においては、黒輝度を低減するとともに書込み放電を安定化するために、サブフィールドＳＦ１を全セル初期化サブフィールドとし、他のサブフィールドを選択初期化サブフィールドとしている。したがって、サブフィールドＳＦ１の初期化期間においては、全ての放電セルに初期化放電を発生し、書込み動作のために必要な壁電荷およびプライミング粒子を発生することができる。しかしながら、この壁電荷およびプライミング粒子は時間の経過とともに徐々に失われてしまう。
【０１０２】
例えば、１フィールドの最終サブフィールド（例えば、サブフィールドＳＦ５）における壁電荷およびプライミング粒子を、途中のサブフィールド（例えば、サブフィールドＳＦ１〜サブフィールドＳＦ４のいずれか１つまたは複数のサブフィールド）で書込み動作を行う放電セルと、途中のサブフィールドで書込み動作を行わない放電セルとで比較する。その場合、壁電荷およびプライミング粒子は、途中のサブフィールドで書込み動作を行わない放電セルの方が少なくなる。
【０１０３】
途中のサブフィールドで書込み動作を行う放電セルでは、書込み動作にともなう維持放電が発生して壁電荷およびプライミング粒子が発生する。しかし、途中のサブフィールドで書込み動作を行わない放電セルでは、サブフィールドＳＦ１の初期化動作以降、最終サブフィールドの直前まで維持放電が発生しない。そのため、壁電荷およびプライミング粒子が発生する機会がなく、その結果、放電セル内の壁電荷およびプライミング粒子はより多く減少してしまう。したがって、最終サブフィールドにおける書込み動作が不安定になるおそれがある。
【０１０４】
また、輝度重みの最も大きいサブフィールドは、明るい階調を表示する放電セルでは維持放電が発生するが、暗い階調を表示する放電セルでは維持放電が発生しない。例えば、暗い図柄の画像をパネル１０に表示すると、輝度重みの最も大きいサブフィールドで全く維持放電が発生しないこともある。また、一般的に視聴される動画においては、輝度重みの小さいサブフィールドほど発光する放電セルの数が多くなることが実験的に確認されている。そのため、画像の図柄にもよるが、一般的な動画をパネル１０に表示する場合、輝度重みの最も小さいサブフィールドは、輝度重みの最も大きいサブフィールドよりも維持放電が発生する確率が高いと言える。言い換えると、輝度重みの最も大きいサブフィールドは輝度重みの最も小さいサブフィールドよりも維持放電が発生する確率が低い。
【０１０５】
したがって、サブフィールドＳＦ１の輝度重みを最も大きくし、それ以降、最終サブフィールドに向かって輝度重みを順次小さくする構成では、サブフィールドＳＦ１で維持放電が発生する確率が低くなるため、最終サブフィールドでの書込み動作が不安定になる放電セルが発生するおそれがある。
【０１０６】
そこで、本実施の形態では、サブフィールドＳＦ１を輝度重みの最も小さいサブフィールドとし、サブフィールドＳＦ２を輝度重みの最も大きいサブフィールドとし、サブフィールドＳＦ３以降のサブフィールドは輝度重みを順次小さくする構成とする。
【０１０７】
これにより、サブフィールドＳＦ１から最終サブフィールドに向かって輝度重みを順次小さくする構成と比較して、サブフィールドＳＦ１で維持放電を発生する放電セルの数を増加させることができる。
【０１０８】
サブフィールドＳＦ１で維持放電が発生すれば、その維持放電により放電セル内に壁電荷およびプライミング粒子を補充することができる。したがって、最終サブフィールドにおける書込み動作をより安定に行うことが可能となる。
【０１０９】
また、サブフィールドＳＦ１は全セル初期化サブフィールドであるので、サブフィールドＳＦ１では、全セル初期化動作で生じたプライミングが残存する間に書込み放電を発生させることができ、安定に書込み動作を行うことができる。したがって、最も輝度重みの小さいサブフィールドだけを発光させる放電セルであっても安定した書込み放電を発生させることができる。
【０１１０】
また、輝度重みの大きいサブフィールドを１フィールドの早い時期に発生させることができるので、図６に示すように、残光の大きさをサブフィールドＳＦ３以降順次小さくすることができ、次フィールドへの残光の漏れ込み、すなわちクロストークを低減することができる。
【０１１１】
すなわち、本実施の形態に示すプラズマディスプレイ装置４０においては、上述したクロストークの低減と、最終サブフィールドにおける書込み動作の安定化とを両立することができる。
【０１１２】
次に、シャッタ眼鏡５０におけるシャッタの開閉動作について説明する。
【０１１３】
上述したように、本実施の形態においては、右目用フィールドおよび左目用フィールドのいずれのフィールドにおいても、サブフィールドＳＦ１の初期化期間（全セル初期化期間）の間、右目用シャッタ５２Ｒおよび左目用シャッタ５２Ｌをともに閉じた状態にしている。これにより、全セル初期化動作によって発生する発光は、右目用シャッタ５２Ｒおよび左目用シャッタ５２Ｌによって遮られ、使用者の目に入らない。言い換えると、シャッタ眼鏡５０を通して３Ｄ画像を観賞する使用者には、全セル初期化動作による発光が知覚されなくなる。したがって、使用者には、その発光分の輝度が低減した黒が観測され、黒輝度を低減したコントラストの高い画像を観賞することが可能となる。
【０１１４】
さらに、右目用シャッタ５２Ｒおよび左目用シャッタ５２Ｌをともに閉じた状態にすることで、その間の残光も遮られることとなる。したがって、表示画像の残光が十分に減衰するまでシャッタ眼鏡５０のシャッタが開かないように（右目用画像の表示後は左目用シャッタ５２Ｌがすぐに開かないように、左目用画像の表示後は右目用シャッタ５２Ｒがすぐに開かないように）、シャッタを開くタイミングをできるだけ遅くすることで、残光を遮る期間を長くすることができ、クロストークを低減する効果を高めることができる。
【０１１５】
一方、シャッタ眼鏡５０においては、シャッタを閉じ始めてから閉じきるまでに、または、シャッタを開き始めてから開ききるまでに、シャッタを構成する材料（例えば、液晶）の特性に応じた時間がかかる。例えば、シャッタ眼鏡５０においては、シャッタを閉じ始めてから閉じきるまでに（例えば、シャッタの透過率が１００％から１０％になるまでに）０．５ｍｓｅｃ程度の時間がかかり、シャッタを開き始めてから開ききるまでに（例えば、シャッタの透過率が０％から９０％になるまでに）２ｍｓｅｃ程度の時間がかかることがある。
【０１１６】
本実施の形態においては、これらのことを考慮し、右目用シャッタ５２Ｒおよび左目用シャッタ５２Ｌの開閉タイミングを設定する。
【０１１７】
サブフィールドＳＦ２の維持期間の直前にシャッタ（左目用シャッタ５２Ｌおよび右目用シャッタ５２Ｒ）を開ききるようにシャッタ開閉用タイミング信号をタイミング信号出力部４６からシャッタ眼鏡５０に出力すれば、サブフィールドＳＦ２の発光を遮らずに、前フィールドの残光が使用者の眼に入ることを防止でき、クロストークを低減することができる。
【０１１８】
そこで、本実施の形態におけるタイミング発生回路４５は、右目用フィールド（例えば、フィールドＦ１）では、サブフィールドＳＦ１の維持期間の開始前に右目用シャッタ５２Ｒが開き始め、サブフィールドＳＦ２の維持期間の開始直前には右目用シャッタ５２Ｒが開ききるように、また、最終サブフィールドであるサブフィールドＳＦ５の維持期間の維持パルスが発生し終った後に右目用シャッタ５２Ｒが閉じ始めるように、シャッタ開閉用タイミング信号（右目シャッタ開閉用タイミング信号）を発生し、タイミング信号出力部４６からシャッタ眼鏡５０に出力する。
【０１１９】
左目用フィールド（例えば、フィールドＦ２）では、サブフィールドＳＦ１の維持期間の開始前に左目用シャッタ５２Ｌが開き始め、サブフィールドＳＦ２の維持期間の開始直前には左目用シャッタ５２Ｌが開ききるように、また、最終サブフィールドであるサブフィールドＳＦ５の維持期間の維持パルスが発生し終った後に左目用シャッタ５２Ｌが閉じ始めるように、シャッタ開閉用タイミング信号（左目シャッタ開閉用タイミング信号）を発生し、タイミング信号出力部４６からシャッタ眼鏡５０に出力する。
【０１２０】
以下、各フィールドで同様の動作を繰り返す。これにより、クロストークを低減して画像表示品質を向上し、プラズマディスプレイ装置４０における良好な立体視を実現することができる。
【０１２１】
ただし、このようにシャッタ眼鏡５０のシャッタ開閉を制御する場合、サブフィールドＳＦ１の維持期間では、そのフィールドで表示する画像に対応する方のシャッタ（左目用シャッタ５２Ｌまたは右目用シャッタ５２Ｒ）は開きかけの状態であり、透過率は１００％未満である。
【０１２２】
その場合、使用者には、サブフィールドＳＦ１の維持期間に、シャッタ眼鏡５０の透過率に応じて輝度が低下した発光が観測されることとなる。例えば、サブフィールドＳＦ１の維持期間におけるシャッタ眼鏡５０の透過率の平均値が５０％であれば、シャッタ眼鏡５０を通して３Ｄ画像を観測する使用者には、サブフィールドＳＦ１の維持期間における発光輝度が本来よりも５０％低下したように見える。
【０１２３】
パネル１０をサブフィールド法で駆動する場合、発光させるサブフィールドの組み合わせによって階調表示を行うため、サブフィールドＳＦ１の維持放電で生じる発光輝度が低下すると、階調の直線性（リニアリティ  Ｌｉｎｅａｒｉｔｙ）が損なわれるおそれがある。
【０１２４】
しかしながら、たとえサブフィールドＳＦ１の維持期間の開始時点でシャッタが開ききっておらず、サブフィールドＳＦ１の維持期間のシャッタ眼鏡５０の透過率の平均値が１００％未満であったとしても、シャッタ眼鏡５０の透過率に応じて維持パルスの発生数を増加させれば、使用者には、サブフィールドＳＦ１の輝度が変化していないように知覚させることが可能である。
【０１２５】
そこで、本実施の形態においては、サブフィールドＳＦ１の維持期間に発生する維持パルスの数を、シャッタ眼鏡５０の透過率にもとづき補正するものとする。具体的には、サブフィールドＳＦ１の輝度重みに所定の輝度倍率を乗じ、その乗算結果に、さらにシャッタ眼鏡５０の透過率に応じた係数を乗じる。
【０１２６】
このようにして得られる数にもとづく数の維持パルスを、サブフィールドＳＦ１の維持期間に発生する。なお、この係数は、例えば、シャッタ眼鏡５０の透過率の逆数とすることができる。また、このシャッタ眼鏡５０の透過率とは、サブフィールドＳＦ１の維持期間におけるシャッタ眼鏡５０の透過率の平均値のことを表すものとする。
【０１２７】
例えば、サブフィールドＳＦ１の輝度重みが「１」であり、輝度倍率が「１」倍であって、サブフィールドＳＦ１の維持期間に発生させる本来の維持パルス数が「２」であるとする。このとき、サブフィールドＳＦ１の維持期間におけるシャッタ眼鏡５０の透過率の平均値が５０％であれば、サブフィールドＳＦ１の維持期間に発生させる維持パルスの数を、本来の発生数である「２」に、５０％（０．５）の逆数の「２」を乗算した「４」とする。そして、サブフィールドＳＦ１の維持期間では４つの維持パルスを発生し、走査電極２２および維持電極２３のそれぞれに２回ずつ印加する。あるいは、シャッタ眼鏡５０の透過率の平均値が２５％であれば、維持パルスの発生数を、「２」に、２５％（０．２５）の逆数の「４」を乗算した「８」とする。そして、サブフィールドＳＦ１の維持期間では８つの維持パルスを発生し、走査電極２２および維持電極２３のそれぞれに４回ずつ印加する。
【０１２８】
このように、シャッタ眼鏡５０の透過率に応じてサブフィールドＳＦ１の維持期間に発生する維持パルスの数を増加することで、サブフィールドＳＦ１の維持期間におけるシャッタ眼鏡５０の透過率が１００％未満であっても、シャッタ眼鏡５０を通して３Ｄ画像を観測する使用者は、サブフィールドＳＦ１を本来の発光輝度、例えば、輝度重み「１」に相当する発光輝度で観測することができる。
【０１２９】
これにより、シャッタを開くタイミングを、サブフィールドＳＦ１の維持期間の開始時点で透過率１００％となるように設定する必要がなくなる。例えば、表示画像を観賞する使用者に対してクロストークを低減するために、シャッタ眼鏡５０のシャッタを開くタイミングを遅らせることが可能となる。
【０１３０】
なお、このシャッタ眼鏡５０の透過率とは、そのフィールドで表示する画像に対応する方のシャッタ（左目用画像であれば左目用シャッタ５２Ｌ、右目用画像であれば右目用シャッタ５２Ｒ）における透過率のことである。また、維持期間におけるシャッタの透過率とは維持期間におけるシャッタの透過率の平均値のことである。
【０１３１】
また、本実施の形態では、サブフィールドＳＦ１を輝度重みの最も小さいサブフィールドとしているので、透過率に応じて維持パルスの発生数を増加する際に、維持パルスの増加数を最小限に抑えることができる。
【０１３２】
このように、本実施の形態では、１フィールドの最初に発生するサブフィールド（先頭サブフィールド）の維持期間において、そのサブフィールドの輝度重みに輝度倍率を乗じた数に、先頭サブフィールドの維持期間におけるシャッタ眼鏡５０の透過率に応じた係数を乗じた数の維持パルスを走査電極２２および維持電極２３のそれぞれに印加する構成とする。これにより、パネル１０に表示される３Ｄ画像をシャッタ眼鏡５０を通して観賞する使用者に対して、表示画像における階調の直線性を保つことが可能となる。
【０１３３】
なお、サブフィールドＳＦ１の維持期間におけるシャッタ眼鏡５０の透過率を事前に測定しておけば、その測定結果にもとづき上述した係数をあらかじめ設定しておくことができる。
【０１３４】
あるいは、シャッタ眼鏡５０のシャッタを開くタイミングを変更することが可能なプラズマディスプレイ装置に、本実施の形態に示した構成を適用することもできる。例えば、クロストークの発生量を推定し、その推定結果にもとづきシャッタを開くタイミングを変更するようにプラズマディスプレイ装置を構成する。すなわち、クロストークの発生量が増大すると推定されるときには右目用シャッタ５２Ｒおよび左目用シャッタ５２Ｌをともに閉じて残光を遮る期間を長くして、クロストークを低減する効果を高めるようにプラズマディスプレイ装置を構成する。そして、そのプラズマディスプレイ装置に、本実施の形態に示した構成を適用するとともに、シャッタ眼鏡５０におけるシャッタを開くときの透過率の時間変化を事前に測定した結果をデータ化したルックアップテーブルを備えておく。これにより、シャッタ眼鏡５０のシャッタを開くタイミングが表示画像の図柄に応じて変化し、サブフィールドＳＦ１の維持期間におけるシャッタ眼鏡５０の透過率が変化したとしても、シャッタを開くタイミングとルックアップテーブルのデータとからサブフィールドＳＦ１の維持期間におけるシャッタ眼鏡５０の透過率を推定することができる。したがって、その推定値にもとづき上述の係数を変更することができるので、パネル１０に表示される３Ｄ画像をシャッタ眼鏡５０を通して観賞する使用者は、サブフィールドＳＦ１を本来の発光輝度、例えば、輝度重み「１」に相当する発光輝度で観測することができる。
【０１３５】
あるいは、複数の係数（例えば、１から１０までの各整数）をあらかじめ用意し、そのうちのいずれかを使用者が任意に選択できるようにプラズマディスプレイ装置を構成してもよい。このようなプラズマディスプレイ装置では、シャッタ眼鏡５０を交換する等してシャッタを開くときの特性が変化したときに、使用者が係数を選択することで、係数の再設定をすることが可能となる。
【０１３６】
以上示したように、本実施の形態においては、１フィールドの先頭サブフィールドを輝度重みの最も小さいサブフィールドとし、それに続くサブフィールドを輝度重みの最も大きいサブフィールドとし、それ以降のサブフィールドは輝度重みを順次小さくする構成とする。これにより、１つのフィールドから次のフィールドに漏れ込む残光を低減してクロストークを抑制するとともに、最終サブフィールドにおける書込み動作の安定化を図ることが可能となる。
【０１３７】
また、本実施の形態では、先頭サブフィールドの維持期間に発生させる維持パルスの数を、シャッタ眼鏡５０の透過率に応じて増加させる構成とする。これにより、シャッタ眼鏡５０を通して３Ｄ画像を観測する使用者は、サブフィールドＳＦ１を本来の発光輝度、例えば、輝度重み「１」に相当する発光輝度で観測することができる。
【０１３８】
すなわち、本実施の形態では、パネル１０に表示される３Ｄ画像をシャッタ眼鏡５０を通して観賞する使用者に対して、黒輝度を低減してコントラストを高めるとともにクロストークを低減した画像を実現し、さらに、表示画像における階調の直線性を保って精度よく階調をパネル１０に表示することができ、画像表示品質を高めることが可能となる。
【０１３９】
なお、上述した「シャッタを閉じきる」とは、シャッタの透過率が１０％以下となることを表し、「シャッタを開ききる」とは、シャッタの透過率が９０％以上となることを表すものとする。
【０１４０】
なお、本実施の形態においては、右目用フィールドおよび左目用フィールドのそれぞれを５つのサブフィールドで構成する例を説明したが、本発明は、サブフィールドの数が上記数値に限定されるものではない。例えばサブフィールドの数を６、あるいはそれ以上に増やせば、パネル１０に表示できる階調の数をさらに増やすことができる。各フィールドを構成するサブフィールドの数は、プラズマディスプレイ装置４０の仕様等に応じて最適に設定すればよい。
【０１４１】
なお、本実施の形態においては、サブフィールドの輝度重みを「２」のべき乗とし、その一例として各サブフィールドの輝度重みを（１、１６、８、４、２）とする例を説明した。しかし、本発明は、サブフィールドの輝度重みが上記数値に限定されるものではない。例えば、各サブフィールドの輝度重みを（１、１２、７、３、２）等とすることで、階調を決めるサブフィールドの組み合わせに冗長性をもたせることができ、動画擬似輪郭の発生を抑制したコーディングが可能となる。
【０１４２】
なお、図４に示した駆動電圧波形は、本発明の実施の形態における一例を示したものに過ぎず、本発明は何らこれらの駆動電圧波形に限定されるものではない。
【０１４３】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１４４】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０１４５】
なお、本発明における実施の形態において示した具体的な数値は、画面サイズが５０インチ、表示電極対２４の数が１０８０のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１４６】
本発明は、３Ｄ画像表示装置として使用可能なプラズマディスプレイ装置において、シャッタ眼鏡を通して表示画像を観賞する使用者に対して、クロストークを低減しつつ表示画像における階調の直線性を保って画像表示品質を高めることができるので、プラズマディスプレイ装置やプラズマディスプレイシステム、加えてパネルの駆動方法として有用である。
【符号の説明】
【０１４７】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    タイミング信号出力部
５０    シャッタ眼鏡
５２Ｒ    右目用シャッタ
５２Ｌ    左目用シャッタ
【図１】
2011086917.tif 000003
【図２】
2011086917.tif 000004
【図３】
2011086917.tif 000005
【図４】
2011086917.tif 000006
【図５】
2011086917.tif 000007
【図６】
2011086917.tif 000008
【国際調査報告】
2011086917.tif 000009
2011086917.tif 000010